(57)【要約】【課題】  工場生産できるようにして現場での構築作業を容易にし、施工効率の向上を図る。【解決手段】  予め地面Ｇに打設された基礎杭２の上端部２ａに連設されて設置され上面に防護壁Ｗの支柱Ｗａが立設されるコンクリート製のブロック本体１０を備え、ブロック本体１０の下面側に、基礎杭２の上端部２ａが挿入されるとともにブロック本体１０と基礎杭２の上端部２ａとを接合させるためのコンクリートＣが充填される挿入孔１１を形成し、また、ブロック本体１０の上面側に、挿入孔１１に連通し挿入孔１１にコンクリートＣを充填するための充填孔１２を形成し、ブロック本体１０の上面側に、充填孔１２の開口１２ａの周囲に露出し防護壁Ｗの支柱Ｗａを固定するためのアンカーボルト２０を埋設した。【選択図】  図１
0003118935.tif 000002
【実用新案登録請求の範囲】
【請求項１】
予め地面に打設された基礎杭の上端部に連設されて設置され上面に防護壁の支柱が立設されるコンクリート製のブロック本体を備えた防護壁用基礎ブロックにおいて、
上記ブロック本体の下面側に、上記基礎杭の上端部が挿入されるとともに該ブロック本体と該基礎杭の上端部とを接合させるためのコンクリートが充填される挿入孔を形成したことを特徴とする防護壁用基礎ブロック。
【請求項２】
上記ブロック本体の上面側に、該上面に露出し上記防護壁の支柱を固定するためのアンカーボルト及びインサートナットの少なくともいずれかを埋設したことを特徴とする請求項１記載の防護壁用基礎ブロック。
【請求項３】
上記ブロック本体の上面側に、上記挿入孔に連通し該挿入孔にコンクリートを充填するための充填孔を形成したことを特徴とする請求項１または２記載の防護壁用基礎ブロック。
【請求項４】
上記挿入孔及び充填孔を同軸上に形成するとともに上記充填孔の内径を上記挿入孔の内径より小さく形成したことを特徴とする請求項３記載の防護壁用基礎ブロック。
【請求項５】
予め地面に打設された基礎杭の上端部に連設されて設置され上面に防護壁の支柱が立設される矩形状に形成されたコンクリート製のブロック本体を備えた防護壁用基礎ブロックにおいて、
上記ブロック本体の下面側中央に、上記基礎杭の上端部が挿入されるとともに該ブロック本体と該基礎杭の上端部とを接合させるためのコンクリートが充填される挿入孔を形成し、
上記ブロック本体の上面側中央に、上記挿入孔に連通し該挿入孔にコンクリート充填するための充填孔を形成し、
上記挿入孔及び充填孔を同軸上に形成するとともに上記充填孔の内径を上記挿入孔の内径より小さく形成し、
上記ブロック本体の上面側に、該上面の上記充填孔の開口周囲に露出し上記防護壁の支柱を固定するためのアンカーボルト及びインサートナットの少なくともいずれかを埋設したことを特徴とする防護壁用基礎ブロック。
【考案の詳細な説明】
【技術分野】
【０００１】
本考案は、防風，防雪，防砂，防塵等の用に供される防護壁を設置するための防護壁用基礎ブロックに係り、特に、予め地面に打設された基礎杭の上端部に連設されて設置され上面に防護壁の支柱が立設されるコンクリート製のブロック本体を備えた防護壁用基礎ブロックに関する。
【背景技術】
【０００２】
一般に、図３に示すように、防風，防雪，防砂，防塵等の用に供される防護壁Wは、防護壁用基礎ブロック１００を介して所定間隔で地面に立設される支柱Ｗａと、この支柱Ｗａ間に架設される壁体Ｗｂとを備えている。この防護壁Ｗを設置するときは、従来、例えば、図３に示すように、予め地面に基礎杭１０１を打設し、この基礎杭１０１の打設した地面に基礎杭１０１の上端部を突出させて矩形の型枠（図示せず）を設けるとともに、型枠内にアンカーボルト（図示せず）を配置し、それから、この型枠内にコンクリートを流し込み、所要時間養生し、コンクリートが固化したならば、型枠を取り外す。これにより、基礎杭１０１の上端部に連設された基礎ブロック（コンクリートフーチング）１００が形成される。次に、この基礎ブロック１００上に防護壁Ｗの支柱Ｗａを立設し、アンカーボルトを用いてこの支柱Ｗａを固定し、その後、この支柱Ｗａ間に壁体Ｗｂを設けるようにしている（例えば、特許文献１に記載）。
【０００３】
【特許文献１】特開２００３−２９３３６６号公報
【考案の開示】
【考案が解決しようとする課題】
【０００４】
ところで、このような従来の防護壁の施工において、基礎ブロック１００は、型枠を用いてコンクリートを流し込んで構築する所謂現場施工になっているので、構築作業が煩雑になっており、即ち、型枠を構築したり、型枠内にアンカーボルトを配設しなければならないし、また、支柱Ｗａを設置しやすくするために基礎ブロック１００の上面の全面においてコンクリートの均し作業が必要になるなど、その構築作業が煩雑になっており、そのため、施工効率が悪くなっているという問題があった。
【０００５】
本考案は上記の問題点に鑑みて為されたもので、工場生産できるようにして現場での構築作業を容易にし、施工効率の向上を図った防護壁用基礎ブロックを提供することを目的とする。
【課題を解決するための手段】
【０００６】
このような目的を達成するための本考案の防護壁用基礎ブロックは、予め地面に打設された基礎杭の上端部に連設されて設置され上面に防護壁の支柱が立設されるコンクリート製のブロック本体を備えた防護壁用基礎ブロックにおいて、上記ブロック本体の下面側に、上記基礎杭の上端部が挿入されるとともに該ブロック本体と該基礎杭の上端部とを接合させるためのコンクリートが充填される挿入孔を形成した構成としている。
【０００７】
これにより、本考案の防護壁用基礎ブロックは、予め工場で型成形される。そして、この防護壁用基礎ブロックを用いて防護壁を設置するときは、先ず、基礎杭をその上端が突出するように地面に打設する。次に、予め工場で作成しておいた防護壁用基礎ブロックをクレーンなどで搬送し、基礎杭の上端部を挿入孔に挿入させて設置するとともに、ブロック本体の挿入孔にコンクリートを充填し、所要時間養生する。この場合、防護壁用基礎ブロックは、工場で予め生産されているので、搬送して載置し、挿入孔にコンクリートを充填するだけで設置することができ、そのため、従来のように、逐一型枠を設けて現場施工するのに比較して、構築作業が極めて容易に行なわれる。充填したコンクリートが固化したならば、防護壁の支柱を立設する。このように構築された防護壁においては、防護壁用基礎ブロックが充填されたコンクリートにより基礎杭に対して固着されて連設されるので、結合が強固になり、防護壁の支柱を確実に支持することができるようになる。
【０００８】
そして、必要に応じ、上記ブロック本体の上面側に、該上面に露出し上記防護壁の支柱を固定するためのアンカーボルト及びインサートナットの少なくともいずれかを埋設した構成としている。これにより、防護壁の支柱を立設する際、アンカーボルトまたはインサートナットを利用して支柱をブロック本体の上面に設置することができる。この場合、予めブロック本体にアンカーボルトまたはインサートナットが埋設されているので、従来のように現場施工するのに比較して、逐一型枠内に固定するようにしなくてもよく、この点でも、構築作業が極めて容易に行なわれる。その後、この支柱間に壁体を設ける。
【０００９】
また、必要に応じ、上記ブロック本体の上面側に、上記挿入孔に連通し該挿入孔にコンクリートを充填するための充填孔を形成した構成としている。コンクリートの充填を行ない易くすることができるとともに、挿入孔内部の空気が抜け易くなり、確実に挿入孔にコンクリートを充填することができるようになる。
【００１０】
更に、必要に応じ、上記挿入孔及び充填孔を同軸上に形成するとともに上記充填孔の内径を上記挿入孔の内径より小さく形成した構成としている。ブロック本体の充填孔からコンクリートを充填後、充填孔の開口まで満たされたコンクリートを均すが、充填孔はその内径が挿入孔の内径より小さく形成されているので、均し面積が小さくて済み、それだけ、作業が容易に行なわれる。
【考案の効果】
【００１１】
本考案の防護壁用基礎ブロックによれば、防護壁用基礎ブロックを、予め工場で型成形することができ、そのため、防護壁用基礎ブロックをクレーンなどで搬送し、基礎杭の上端部を挿入孔に挿入させて設置するとともに、ブロック本体の挿入孔にコンクリートを充填し、所要時間養生するだけで、ブロック本体を設置することができ、そのため、従来のように、逐一型枠を設けて現場施工するのに比較して、構築作業を極めて容易に行なうことができ、施工効率の向上を図ることができる。また、防護壁用基礎ブロックは、充填されたコンクリートにより基礎杭に対して固着されて連設されるので、結合が強固になり、防護壁の支柱を確実に支持することができるようになる等の効果を奏する。
【考案を実施するための最良の形態】
【００１２】
以下、添付図面に基づいて、本考案の実施の形態に係る防護壁用基礎ブロックについて詳細に説明する。
図１及び図２に示すように、本考案の実施の形態に係る防護壁用基礎ブロックＢには、防風，防雪，防砂，防塵等の用に供される防護壁Ｗが設けられる。防護壁Ｗは、防護壁用基礎ブロックＢを介して所定間隔で地面Ｇに立設される支柱Ｗａと、この支柱Ｗａ間に架設される壁体Ｗｂ（図３）とを備えている。支柱Ｗａの下部にはベースプレート１が設けられている。また、本考案の実施の形態に係る防護壁用基礎ブロックＢは、予め地面Ｇに打設された基礎杭２の上端部に連設される。基礎杭２としては、例えば、H型鋼が用いられる。
【００１３】
本考案の実施の形態に係る防護壁用基礎ブロックＢは、予め工場で型成形され、矩形ブロック状に形成されたコンクリート製のブロック本体１０を備えており、このブロック本体１０は、地面に打設された基礎杭２の上端部２ａに連設されて設置され、上面に防護壁Ｗの支柱Ｗａがベースプレート１を介して立設される。
【００１４】
ブロック本体１０の下面側中央には、基礎杭２の上端部２ａが挿入されるとともにブロック本体１０と基礎杭２の上端部２ａとを接合させるためのコンクリートＣが充填される横断面矩形状の挿入孔１１が形成されている。また、ブロック本体１０の上面側中央には、挿入孔１１に連通しこの挿入孔１１にコンクリートＣを充填するための横断面矩形状の充填孔１２が形成されている。挿入孔１１及び充填孔１２は、同軸上に形成されるとともに充填孔１２の内径（一辺の幅）は挿入孔１１の内径（一辺の幅）より小さく形成されている。挿入孔１１と充填孔１２との間は上に向けて縮小する傾斜面に形成されている。
【００１５】
また、ブロック本体１０の上面側には、上面の充填孔１２の開口１２ａ周囲に露出し、防護壁Ｗの支柱Ｗａを固定するためのアンカーボルト２０及びインサートナット（図示せず）の少なくともいずれか（実施の形態ではアンカーボルト２０）が、充填孔１２の軸心を中心にした円周上に等間隔で埋設されている。アンカーボルト２０は基端の埋設部２１とブロック本体１０の上面から突出する先端側の雄ネジ部２２とを備えている。そして、防護壁Ｗの支柱Ｗａのベースプレート１には、アンカーボルト２０に対応した位置にボルト挿通孔２３が設けられており、アンカーボルト２０の雄ネジ部２２にナット２４をねじ込むことにより、ベースプレート１はブロック本体１０に固着される。
【００１６】
したがって、この実施の形態に係る防護壁用基礎ブロックＢを用いて防護壁Ｗを設置するときは、図１に示すように、基礎杭２をその上端が突出するように地面Ｇに打設する。次に、地面Ｇに基礎石３０を敷設するとともに、基礎石３０の上に均しコンクリート３１を敷設する。次に、予め工場で作成しておいた防護壁用基礎ブロックＢをクレーン（図示せず）などで搬送し、基礎石３０の上に敷設した均しコンクリート３１上に、基礎杭２の上端部２ａを挿入孔１１に挿入させて設置する。この場合、防護壁用基礎ブロックＢは、工場で予め生産されているので、搬送して載置するだけで設置することができ、そのため、従来のように、逐一型枠を設けて現場施工するのに比較して、構築作業が極めて容易に行なわれる。
【００１７】
次に、ブロック本体１０の充填孔１２から挿入孔１１及びこの充填孔１２にコンクリートＣを充填する。この場合、充填孔１２から挿入孔１１にコンクリートCを充填するので、コンクリートCの充填を行ない易くすることができるとともに、挿入孔１１内部の空気が抜け易くなり、確実に挿入孔１１にコンクリートCを充填することができるようになる。その後、充填孔１２の開口１２ａまで満たされたコンクリートＣの上面を均す。この場合、充填孔１２はその内径が挿入孔１１の内径より小さく形成されているので、均し面積が小さくて済み、それだけ、作業が容易に行なわれる。そして、所要時間養生する。
【００１８】
充填したコンクリートＣが固化したならば、防護壁Ｗの支柱Ｗａを立設する。この場合、支柱Ｗａのベースプレート１をそのボルト挿通孔２３をアンカーボルト２０の雄ネジ部２２に挿通させてブロック本体１０の上面に設置する。それから、アンカーボルト２０にナット２４をねじ込んでベースプレート１をブロック本体１０に固着し支柱Ｗａを立設する。この場合、予めブロック本体１０にアンカーボルト２０が埋設されているので、従来のように現場施工するのに比較して、逐一型枠内に固定するようにしなくてもよく、この点でも、構築作業が極めて容易に行なわれる。その後、この支柱Ｗａ間に壁体Ｗｂを設ける。最後に地面Ｇには適宜盛土３２を施して良い。
【００１９】
このように構築された防護壁Ｗにおいては、防護壁用基礎ブロックＢがこれに充填されたコンクリートＣにより基礎杭２に対して固着されて連設されるので、結合が強固になり、防護壁Ｗの支柱Ｗａを確実に支持することができるようになる。
【００２０】
尚、上記の実施の形態において、挿通孔１１及び充填孔１２は、横断面矩形状に形成されているが、必ずしもこれに限定されるものではなく、横断面円形に形成するなどどのような形状に形成しても良い。また、ブロック本体１０の形状も上述した形状に限定されるものではなく、直方体，六角柱状体等の多角柱状体など、どのような形状に形成しても良いことは勿論である。更に、本考案の実施の形態では、ブロック本体１０にアンカーボルト２０を埋設したが、インサートナット（図示せず）を埋設するようにしてもよく適宜変更して差支えない。
【図面の簡単な説明】
【００２１】
【図１】本考案の実施の形態に係る防護壁用基礎ブロックをその設置状態で示す正面図である。
【図２】本考案の実施の形態に係る防護壁用基礎ブロックを示す一部切欠き斜視図である。
【図３】従来の防護壁の構築状態を示す図である。
【符号の説明】
【００２２】
Ｂ  防護壁用基礎ブロック
Ｗ  防護壁
Ｗａ  支柱
Ｗｂ  壁体
Ｇ  地面
１  ベースプレート
２  基礎杭
２ａ  上端部
１０  ブロック本体
１１  挿入孔
Ｃ  コンクリート
１２  充填孔
１２ａ  開口
２０  アンカーボルト
２１  埋設部
２２  雄ネジ部
２３  ボルト挿通孔
２４  ナット
３０  基礎石
３１  均しコンクリート
３２  盛土
【図１】
0003118935.tif 000003
【図２】
0003118935.tif 000004
【図３】
0003118935.tif 000005